(57)【特許請求の範囲】
【請求項１】
底壁と、少なくとも１つの環状突起を備えた単一の周壁（３）とを有する円錐形容器であって、
前記周壁（３）は少なくともその内側をラミネート加工した厚紙から構成され、前記突起（１１）は前記周壁（３）に略平行に延びて重なっている折り重ね部分（１４）として形成され、
複数のこのような折り重ね部分（１４）は、その間に折り重ね部分の間の露出した中間部分（２４）を挟んで上下に並べて配置され、高い位置にある各折り重ね部分が低い位置にある各折り重ね部分よりも直径（２０）が大きく、前記折り重ね部分（１４）は、ユーザの指が主に各折り重ね部分（１４）の外側部分（１３）および／または縁（２３）に触れ、前記壁（３）の前記折り重ね部分の間の中間部分（２４）に接触しないようにするために必要な範囲を超えない程度に離間していることを特徴とする容器。
【請求項２】
前記ラミネートのライナー（４）はヒートシール可能な材料からなることを特徴とする請求項１に記載の容器。
【請求項３】
前記折り重ね部分（１４）の重なっている領域における、前記壁の少なくとも１つの部分（１３,１５,１６）が、接続され、好ましくはシールされた前記壁の他の少なくとも１つの部分に接続されていることを特徴とする請求項１または請求項２に記載の容器。
【請求項４】
前記周壁（３）の前記少なくとも２つの部分（１３，１５）が、前記折り重ね部分（１４）の上端で接続および／またはシールされていることを特徴とする請求項２に記載の容器。
【請求項５】
前記周壁（３）の前記少なくとも２つの部分（１３，１５，１６）が、前記折り重ね部分（１４）の上端および下端で接続および／またはシールされていることを特徴とする請求項２に記載の容器。
【請求項６】
前記容器（１）は、少なくとも１つの他の容器（１）と入れ子状に重ねることができることを特徴とする請求項１から請求項５のいずれか１項に記載の容器。
【請求項７】
前記周壁（３）の最下部（７）は、重ねたときに下側の容器（１）の底壁（２）によって支持されることを特徴とする請求項６に記載の容器。
【請求項８】
前記重なっている折り重ね部分（１４）は、前記壁（３）の重なっている部分（１３，１５，１６）のうちの２つの間に少なくとも１つの中空室（１７，１８）を含むことを特徴とする請求項１から請求項７のいずれか１項に記載の容器。
【請求項９】
前記折り重ね部分（１４）の前記外側部分（１３）は略垂直であることを特徴とする請求項１から請求項８のいずれか１項に記載の容器。
【請求項１０】
前記周壁（３）の前記重なっている折り重ね部分（１４）を含む部分（１３）は、前記容器（１）の把持領域（１０）に配置されていることを特徴とする請求項１から請求項９のいずれか１項に記載の容器。
【請求項１１】
前記中空室（１７,１８）は真空化されているかまたは気体が充填されていることを特徴とする請求項８に記載の容器。
【発明の詳細な説明】
【技術分野】
【０００１】
本発明は、底部と、少なくとも１つの環状突起を備えた単一の周壁とを有する円錐形容器に関する。
【背景技術】
【０００２】
この種の容器は、英国特許第１，０７３，７９６号で公知である。この容器はプラスチックで構成され、成形工程により、薄い壁を、そして水平フィンとして容器の壁から延びる突起を形成することによって製造される。このような容器は入れ子状に重ねることもできる。いくつかの実施形態において、フィンは積み重ねる際の支持部を提供する目的で使用される。フィンは容器の壁から形成され、フィンの領域において容器の壁は外側に折り曲げられ、相互に接合されて硬い水平リムを提供してもよい。
【発明の概要】
【発明が解決しようとする課題】
【０００３】
英国特許第１，０７３，７９６号の導入部分では、紙コップが多くの固有の欠点を有していると主張している。この点に関して、「吸湿性」と「透湿性」に言及している。さらに、紙コップに継ぎ目があるため、壁を閉じ合わせるために接着剤や粘着剤が必要になるという批判がある。また、構造の弱点についても言及している。結果として、従来技術では、コーヒーなどの熱い飲み物の消費用の断熱カップを製造するため、プラスチックの使用が提案されている。  
【０００４】
一方で、断熱性に優れて、剛構造の壁を提供し、他方で、大きさや用途に関しての多様性を提供する単一壁の容器を提案することが本発明の目的のひとつである。この目的は、請求項１の特徴部によって達成される。
【課題を解決するための手段】
【０００５】
本発明の容器は、リサイクル性の可能性と、低生産コストという利点を兼ね備えた厚紙から製造される。厚紙は、容器の壁を耐水とするために内側にラミネート加工を施してもよい。同様に、容器の外側にラミネート加工を施してもよい。  
【０００６】
突起は厚紙壁の折り重ね部分として形成される。このような折り重ね部分は、カップの内部からの熱伝達に対する優れた断熱効果を提供する。さらに、折り重ね部分によりカップが丈夫で硬くなるが、これはユーザの手の温度と大きく温度が異なる中身で容器が満たされる場合には特に重要である。これは特に熱い飲み物に当てはまることであるが、例えば、アイスクリームなどの冷たい中身のものにも当てはまる。  
【０００７】
折り重ね部分は容器の壁に略平行に向けられ、したがって外壁の断熱領域を拡張している。各折り重ね部分は材料を２箇所で屈曲させて構成されているので、折り重ね部分の領域において、厚紙は容器の壁３層が積層されている。重なっている領域では、単一の厚紙壁に比べると断熱性が非常に良い。  
【０００８】
厚紙は、耐水とするためにライナーが設けられる。このライナーがヒートシール可能な材料からなる場合、折り重ね部分の異なる層どうしを部分的にまたは完全に接続するために、当該ライナーを使用してもよい。  
【０００９】
本発明の容器が紙、カートンまたは他の同等の材料から構成される場合、折り重ね部分は成形により製造されるのではなく、材料の曲げ加工により製造される。これにより容器の大きさおよび形状ならびに容器の使用に関して一定の多様性を提供することが可能となる。  
【００１０】
基本的には、標準カップを使用して、この標準カップから１０オンス、１２オンス等のように様々なカップの大きさを製造するために、異なる数の折り重ね部分を設けることが可能となる。１つの標準カップを様々な最終製品用に用いることで、生産コストが低減される。  
【００１１】
さらに、特定の把持領域を確定するため、折り重ね部分の数を変更することももちろん可能である。このような変更は、本発明のカップを自動車のカップホルダに適合させるために用いてもよい。このようなカップホルダは規格化されておらず、したがって、本発明のカップをこのようなカップホルダの様々な大きさに適合させてもよい。折り重ね部分が周壁と略平行であることにより、（カップとカップホルダが）一体になることを折り重ね部分が阻害することがないので、本発明の容器を異なるカップホルダに挿入することが可能になるかもしれない。  
【００１２】
本発明のさらなる実施形態では、複数の折り重ね部分が上下に並べて配置されることで、高い位置にある各折り重ね部分が低い位置にある各折り重ね部分よりも直径が大きい。  
【００１３】
容器の壁とユーザの指との間の熱伝達を制限するため、各前記折り重ね部分の高さを、隣接する折り重ね部分間の垂直距離において最適化することが可能である。最適化は、ユーザが折り重ね部分にだけ触れ、容器の壁の１枚の壁だけで構成されているところには触れないことにより達成される。  
【００１４】
したがって、さらなる実施形態として、折り重ね部分は、ユーザの指が主に各折り重ね部分の外側部分および／または縁に触れ、壁の折り重ね部分の間の中間部分に接触することを防止するために必要な範囲を超えてさらに離間しないものとすることが提案される。  
【００１５】
容器の安定性を改善するため、折り重ね部分の重なっている領域における、壁の少なくとも１つの部分が、接続され、好ましくはシールされた壁の他の少なくとも１つの部分に接続されていることが提案される。  
【００１６】
容器の中身が折り重ね部分に浸入することを防止するため、容器の壁のうち少なくとも２つの部分が、折り重ね部分の上部内側端部で相互に接続されている構成とすることができる。  
【００１７】
折り重ね部分が、その上端および下端でそれぞれ接続されシールされることで、耐水性のさらなる改良を図ることができるかもしれない。  
【００１８】
重なっている折り重ね部分が１つまたは２つの中空室を含むことで、断熱性能のさらなる改善が図られるかもしれない。これらの中空室は、重なっている領域内で壁の隣接する層によって形成してもよい。  
【００１９】
本発明の一実施形態を図面に示す。
【図面の簡単な説明】
【００２０】
【図１】本発明の容器の側面図である。
【図２】図１の容器の内部を示す断面斜視図である。
【図３】相互に入れ子状に重ねた本発明の２つの容器の組の断面図である。
【図４】容器の側壁における把持領域の拡大図である。
【図５】２つの折り重ね部分の拡大した略図である。
【発明を実施するための形態】
【００２１】
本発明の容器１は円錐台形を呈している。容器１は、単一の外周容器壁３内に挿入される底部２を備える。底部２および容器壁３は好ましくは単一層の厚紙から構成され、当該厚紙は耐水性の目的でライナー４を有していてもよい。ライナー４はラミネート状部材からなっていてもよく、好ましくはポリエチレン等のヒートシール可能な材料から構成される。ライナー４は、例えば、容器の内側を耐水性にするため、厚紙の片面のみに適用してもよい。しかしながら、容器の外側に防水層を設けるために、厚紙の外側にライナー４を設けることもできる。
【００２２】
底部２は、容器壁３の下部の下リム７よりも上方に距離５だけ離間して配置されている。底部２はフランジ６を備え、当該フランジ６は、好ましくは隣接する容器壁３と平行であり、底部２を容器壁３に接続するために用いられている。
【００２３】
この接続はいかなるタイプの接続手段により、好ましくは接着剤または熱活性材料を用いることによりなされてもよい。ライナーをートシール可能な材料からなるものとすれば、ヒートシールにより最も簡単な接続がなされる。
【００２４】
容器の下リム７は、容器が表面に立っている場合のサポートとなる。フランジ６は、端部が下リム７と同じ高さにある。
【００２５】
容器１の上端には、カーリング付きリム８が配置されており、当該カーリング付きリム８は容器１の飲用開口部９を囲繞している。リム８は、容器に蓋をするのに使用可能な蓋の保持手段の役割を果たすものであってもよい。しかしながら、このような蓋は図示していない。
【００２６】
容器１は、把持領域１０を備え、その範囲内に幾つかの環状突起１１が配置されている。図１および図３から明らかなように、当該突起は、容器壁の傾斜した外形１２を僅かに超えて外側に延出しており、略垂直な外側部分１３を有している。
【００２７】
図示した実施形態では、容器は合計５つの突起１１を有しており、これらの突起１１はすべて把持領域１０に配置されている。
【００２８】
図２および図３、特に図５は突起１１の構成を示している。各突起１１は、容器壁によって構成され、上述した外側部分１３と、中間部分１５および内側部分１６を含む折り重ね部分１４からなる。図から明らかなように、各部分１３,１５,１６は、折り重ね部分１４を形成することで相互に重なり合っている。折り重ね部分は周壁に略平行に延びており、これにより少なくとも外側部分１３は垂直に維持されるかもしれない。
【００２９】
前記各部分１３,１５,１６の間には、接続部１９によって閉じてもよい中空構造を提供するため、室部１７および／または１８を形成してもよい。これらの室部では、折り重ね部分をしっかりと固定するために接続または固着１９を行う前に真空状態にしてもよい。
【００３０】
一方、各部分１３,１５,１６の間に一定の間隔を取るため、一方または両方の室部は気体、例えば空気で充填されていてもよい。いずれにしても室部１７，１８は、開放されたままとしてもよく、或いは上述した接続および固着１９により閉じてもよい。
【００３１】
図面から明らかなように、折り重ね部分１４は上下に並べて配置されることで、高い位置にある各折り重ね部分１４が低い位置にある各折り重ね部分よりも直径２０が大きい。
【００３２】
容器壁３とユーザの指との間の熱伝達を制限するため、各折り重ね部分の高さ２１および隣接する折り重ね部分１４間の垂直距離２２を最適化してもよい。
【００３３】
折り重ね部分１４どうしは、ユーザの指が主に各折り重ね部分１４の外側部分１３にまたは縁２３のみに確実に触れるようにするために必要な範囲を超えない程度に離間配置されている。これにより容器壁３の折り重ね部分の間の中間部分２４に接触することが少なくなる。
【００３４】
接続または固着１９は、接着剤またはその他の任意の固着手段、例えば、ライナー４のヒートシール可能な材料を使用して行ってもよい。もちろん、室部１９，１８を共に外側から遮断するために、両方に接続１９を適用することも可能である。
【００３５】
図３から明らかなように、本発明の容器は相互に入れ子状に重ねることが可能であり、内側の容器は、その下リム７を下側の容器の底部２の上面に載せた状態で安定する。
【００３６】
相互に入れ子状に重ねた容器の容器壁３は相互に接触することはないので、容器どうしの摩擦が回避され、接客担当スタッフが片手だけで、重なった各容器を次の容器から外すことができる。
【００３７】
２つの積み重なった容器の折り重ね部分１１は、干渉することなく互いに整然と重なる。
【図１】
0006292456.tif 000002
【図２】
0006292456.tif 000003
【図３−４】
0006292456.tif 000004
【図５】
0006292456.tif 000005